【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
透析システムであって、
患者流体ループであって、該患者流体ループは、第１のポンプおよび複数の患者管腔を含む、患者流体ループと、
第２の流体ループであって、該第２の流体ループは、第２のポンプおよび医療用流体再生装置を含む、第２の流体ループと、
膜装置であって、該膜装置は、該患者流体ループおよび該第２の流体ループに流体連結され、ここで、該膜装置は、該第２の流体ループから該患者流体ループを分離し、ここで、該膜装置は、該患者流体ループ中の該流体の少なくとも１つの選択された成分が該第２の流体ループへ移動することを可能にするように構成される、膜装置と、
制御装置であって、該制御装置は、該第１のポンプおよび第２のポンプを作動させて該患者ループおよび該第２のループ内に流体を再循環させるように構成される、制御装置と、
を備え、
ここで、該第２のループは、該膜装置を介する該選択された成分の移動を除いて、閉鎖ループを規定する、
システム。
【請求項２】
前記膜装置は透析器である、請求項１に記載の透析システム。
【請求項３】
前記膜装置の両側に圧力勾配が存在する、請求項１に記載の透析システム。
【請求項４】
前記患者ループは、前記膜装置を介する前記選択された成分の移動を除いて閉鎖されている、請求項１に記載の透析システム。
【請求項５】
前記膜装置は、尿素が前記患者流体ループから前記第２の流体ループへ通過することを可能にするナノフィルタを含む、請求項１に記載の透析システム。
【請求項６】
前記医療用流体再生装置は、尿毒症毒素吸収剤を含む、請求項１に記載の透析システム。
【請求項７】
前記医療用流体再生装置は、ウレアーゼ、リン酸ジルコニウム、酸化ジルコニウム、および炭素のうちの少なくとも１つを含む、請求項１に記載の透析システム。
【請求項８】
前記患者流体ループおよび第２の流体ループのうちの少なくとも１つからガスを除去するガス分離器を含む、請求項１に記載の透析システム。
【請求項９】
前記ガス分離器および前記医療用流体再生装置が、単一の装置内に備えられている、請求項８に記載の透析システム。
【請求項１０】
前記患者流体ループおよび第２の流体ループからガスを排気するガス排気口を含む、請求項１に記載の透析システム。
【請求項１１】
前記第２の流体ループは、前記医療用流体内の電解質の濃度を監視する多検体センサを含む、請求項１に記載の透析システム。
【請求項１２】
腹膜透析用流体が前記患者流体ループを通って循環する、請求項１に記載の透析システム。
【請求項１３】
血液が前記患者流体ループを通って循環する、請求項１に記載の透析システム。
【請求項１４】
前記患者流体ループおよび前記第２の流体ループの少なくとも部分が使い捨て装置内に備えられる、請求項１に記載の透析システム。
【請求項１５】
前記第２の流体ループは、前記第２の流体ループ内の流れのバランスをとるバランスチャンバを含む、請求項１に記載の透析システム。
【請求項１６】
前記制御装置は、流体が前記複数の患者を通って反対方向に流れることを可能にする、請求項１に記載の透析システム。
【請求項１７】
前記複数の患者管腔を規定する二重管腔カテーテルを含む、請求項１に記載の透析システム。
【請求項１８】
前記患者流体ループおよび前記第２の流体ループのうちの少なくとも１つは、インライン流体ヒータを含む、請求項１に記載の透析システム。
【請求項１９】
前記インライン流体ヒータは、放射ヒータおよびプレートヒータを含む、請求項１８に記載の透析システム。
【請求項２０】
アンモニア、アンモニウムおよびｐＨからなる群から選択される少なくとも１つの指標を感知する少なくとも１つの医療用流体センサを含む、請求項１に記載の透析システム。
【請求項２１】
前記患者流体ループおよび第２の流体ループのうちの少なくとも１つに流体量センサを含む、請求項１に記載の透析システム。
【請求項２２】
前記流体量センサは、前記少なくとも１つの流体ループと流体連通するチャンバを用いるキャパシタンス流体量センサを含む、請求項２１に記載の透析システム。
【請求項２３】
前記チャンバは、ポンプチャンバである、請求項２２に記載の透析システム。
【請求項２４】
前記患者流体ループおよび第２の流体ループのうちの少なくとも１つと流体連通する限外濾過液容器を含む、請求項１に記載の透析システム。
【請求項２５】
前記患者流体ループおよび第２の流体ループのうちの少なくとも１つと流体連通する流体濃縮液容器を含む、請求項１に記載の透析システム。
【請求項２６】
前記制御装置は、前記第１のポンプを持続的に作動させて患者の内外へ流体をポンプ輸送する、請求項１に記載のシステム。
【請求項２７】
透析システムと一緒に使用するための使い捨て透析カセットであって、該使い捨てカセットは、以下：
患者ポンプチャンバおよび再生ポンプチャンバを覆う可撓性の膜と、
該患者ポンプチャンバを閉鎖ループ患者流体経路に流体接続する手段と、
該再生ポンプチャンバを閉鎖ループ再生流体経路へ流体接続する手段であって、ここで、該患者経路は、透析器を介して該再生経路と流体連通する、手段
を備える、使い捨て透析カセット。
【請求項２８】
透析物吸収剤カートリッジと流体連通する流体経路を規定する、請求項２７に記載の使い捨て透析カセット。
【請求項２９】
ガス分離器と流体連通する流体経路を規定する、請求項２７に記載の使い捨て透析カセット。
【請求項３０】
透析濃縮液容器と流体連通する流体経路を規定する、請求項２７に記載の使い捨て透析カセット。
【請求項３１】
透析液の最終バッグと流体連通する流体経路を規定する、請求項２７に記載の使い捨て透析カセット。
【請求項３２】
透析液バッグと流体連通する流体経路を規定する、請求項２７に記載の使い捨て透析カセット。
【請求項３３】
排液容器と流体連通する流体経路を規定する、請求項２７に記載の使い捨て透析カセット。
【請求項３４】
患者流体コネクタと流体連通する流体経路を規定する、請求項２７に記載の使い捨て透析カセット。
【請求項３５】
使い捨てカセットと共に用いるための透析治療装置であって、以下：
該使い捨てカセットを受け入れる部分を有するハウジングと、
該ハウジング内に保持される患者ポンプ作動装置であって、該患者ポンプ作動装置は、少なくとも一部分が該使い捨てカセットによって規定される患者経路を通して流体をポンプ輸送するように構成される、患者ポンプ作動装置と、
該ハウジング内に保持される再生ポンプ作動装置であって、該再生ポンプ作動装置は、少なくとも一部分が該使い捨てカセットによって規定される再生経路を通して流体をポンプ輸送するように構成される、再生ポンプ作動装置
を備える、透析治療装置。
【請求項３６】
前記患者ポンプ作動装置および前記再生ポンプ作動装置のうちの少なくとも１つと協働する少なくとも１つの流体量測定センサ構成要素を含む、請求項３５に記載の透析治療装置。
【請求項３７】
前記ハウジングは、流体ヒータを格納する、請求項３５に記載の透析治療装置。
【請求項３８】
前記ハウジングは、アンモニアセンサ、アンモニウムセンサおよびｐＨセンサからなる群から選択される少なくとも１つのセンサを格納する、請求項３５に記載の透析治療装置。
【請求項３９】
前記ハウジングは、前記使い捨てカセットと共に作動する少なくとも１つのバルブ作動装置を格納する、請求項３５に記載の透析治療装置。
【請求項４０】
透析システムを構成する方法であって、該方法は、以下：
患者流体ループを確立する工程であって、第１のポンプおよび複数の患者管腔を、該患者流体ループへ流体連結させる工程を包含する、工程と；
第２の流体ループを確立する工程であって、第２のポンプおよび医療用流体再生装置を、該第２の流体ループへ流体連結させる工程を包含する、工程と；
膜装置を提供する工程であって、該膜装置は、該患者流体ループおよび該第２の流体ループへ流体連結され、該膜装置は、該患者流体ループを該第２の流体ループから分離させ、該膜装置は、該患者流体ループ中の該流体の少なくとも１つの選択された成分が該第２の流体ループへ移動することを可能にするように構成される、工程と；
該第１のポンプおよび第２のポンプを作動させて該患者ループおよび該第２のループ内に流体を再循環させるように構成される制御装置を提供する工程
とを包含し、
ここで、該第２のループは、該膜装置を介する該選択された成分の移動を除いて、閉鎖ループを規定する、
方法。